【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
基準信号と分周信号との位相を比較する位相比較器の比較結果に応じた電流値又は電圧値を持つ制御信号により発振周波数が制御される発振器を備えたＰＬＬ回路において、
前記発振器の発振周波数を第１分周値にて分周した周波数を持つ第１分周信号をＰＬＬ発振信号として出力する第１の分周器と、
前記制御信号の電流値又は電圧値を検出する検出回路と、
前記検出回路から出力される判定信号に応じて、前記制御信号の電流値又は電圧値を予め定められた範囲内にするように前記発振器の発振周波数を可変させる信号生成回路と
を備えることを特徴とするＰＬＬ回路。
【請求項２】
前記位相比較器の比較結果に応じた電流値を持つ信号を出力するチャージポンプと、そのチャージポンプの出力信号に含まれる高周波成分を除去した電圧値を持つ信号を出力するループフィルタと、を備え、
前記信号生成回路は、前記発振器の発振周波数を可変させる場合に自然角周波数及び減衰係数を一定とするように、前記チャージポンプの出力信号の電流値、前記ループフィルタの抵抗値、該ループフィルタの容量値、前記発振器のゲインのうち少なくともいずれか１つを可変させることを特徴とする請求項１記載のＰＬＬ回路。
【請求項３】
前記第１の分周器から出力される第１分周信号の周波数を第２分周値にて分周した周波数を持つ第２分周信号を前記位相比較器に出力する第２の分周器を備え、
前記信号生成回路は、前記判定信号に応じて前記制御信号の電流値又は電圧値を前記範囲内にするように前記第１分周値を可変させることを特徴とする請求項１記載のＰＬＬ回路。
【請求項４】
前記発振器の発振周波数を第２分周値にて分周した周波数を持つ第２分周信号を前記位相比較器に出力する第２の分周器を備え、
前記信号生成回路は、前記判定信号に応じて前記制御信号の電流値又は電圧値を前記範囲内にするように前記第２分周値を可変させるとともに、該第２分周値の変更率にて前記第１分周値を可変させることを特徴とする請求項１記載のＰＬＬ回路。
【請求項５】
前記信号生成回路は、前記制御信号の電流値又は電圧値が前記範囲内にある場合に前記第１分周値を可変させる機能を有することを特徴とする請求項４記載のＰＬＬ回路。
【請求項６】
基準信号と分周信号との位相を比較する位相比較器の比較結果に応じた電流値又は電圧値を持つ第１制御信号により発振周波数が制御される第１の発振器と、
前記第１制御信号に基づいて生成される第２制御信号により発振周波数が制御される第２の発振器と、
前記第１制御信号の電流値又は電圧値を検出する検出回路と、
前記検出回路から出力される判定信号に応じて、前記第２制御信号の電流値又は電圧値を予め定められた範囲内にするように前記第１の発振器の発振周波数を可変させる信号生成回路と
を備えたことを特徴とするＰＬＬ回路。
【請求項７】
前記第２制御信号は、前記第１制御信号と略同じ、若しくはそれよりも高い電流値又は電圧値に設定されることを特徴とする請求項６記載のＰＬＬ回路。
【請求項８】
前記信号生成回路は、前記制御信号の電流値又は電圧値が前記範囲外にある場合に警告を発生する警告手段を備えることを特徴とする請求項１又は６記載のＰＬＬ回路。
【請求項９】
前記検出回路は、
前記制御信号を第１基準信号と比較する第１比較器と、
前記制御信号を第２基準信号と比較する第２比較器と、
前記第１及び第２比較器の出力信号に応じた判定信号を生成する判定回路と
を含むことを特徴とする請求項１又は６記載のＰＬＬ回路。
【手続補正２】
【補正対象書類名】明細書
【補正対象項目名】００２８
【補正方法】変更
【補正の内容】
【００２８】
【課題を解決するための手段】
請求項１に記載の発明によれば、発振器の発振周波数を決定する制御信号の電流値又は電圧値は検出回路にて検出される。そして、信号生成回路は、検出回路から出力される判定信号に応じて制御信号の電流値又は電圧値を予め定めた範囲内にするように発振器の発振周波数を可変させる。これにより、発振器を前記範囲内の電流値又は電圧値を持つ制御信号にて発振させることができる。従って、発振器の制御特性を安定させることができ、ジッタを軽減させることができる。
【手続補正３】
【補正対象書類名】明細書
【補正対象項目名】００２９
【補正方法】変更
【補正の内容】
【００２９】
加えて、請求項１に記載の発明によれば、第１の分周器は、発振器の発振周波数を第１分周値にて分周した周波数を持つ第１分周信号をＰＬＬ発振信号として出力する。これにより、ＰＬＬ発振信号の持つ発振周波数が変わらないため、ロック外れ等が防止される。
【手続補正４】
【補正対象書類名】明細書
【補正対象項目名】００３０
【補正方法】変更
【補正の内容】
【００３０】
請求項２に記載の発明によれば、信号生成回路は、発振器の発振周波数を可変させる場合には、チャージポンプの出力電流値、ループフィルタの抵抗値、ループフィルタの容量値、発振器のゲインのうち少なくともいずれか１つを可変させる。従って、自然角周波数及び減衰係数を一定とすることができ、これにより周波数収束特性も変わらないため、発振器の制御特性をより安定させることができる。
【手続補正５】
【補正対象書類名】明細書
【補正対象項目名】００３１
【補正方法】変更
【補正の内容】
【００３１】
請求項３に記載の発明によれば、信号生成回路は、ＰＬＬループ内に設けられた第１の分周器の第１分周値を可変させることにより、発振器の発振周波数を可変させる。
【手続補正６】
【補正対象書類名】明細書
【補正対象項目名】００３２
【補正方法】変更
【補正の内容】
【００３２】
請求項４に記載の発明によれば、信号生成回路は、ＰＬＬループ内に設けられた第２の分周器の第２分周値を可変させることにより、発振器の発振周波数を可変させる。同時に、信号生成回路は、ＰＬＬループ外に設けられた第１の分周器の第１分周値を前記第２分周値の変更率にて可変させる。
【手続補正７】
【補正対象書類名】明細書
【補正対象項目名】００３３
【補正方法】変更
【補正の内容】
【００３３】
請求項５に記載の発明によれば、信号生成回路は、制御信号の電流値又は電圧値が前記範囲内にある場合に、前記第１分周値を可変させることができる。従って、発振器の制御特性が安定している状態で第１分周値を任意の値に設定することにより、所望とするＰＬＬ発振信号を出力させることができる。
【手続補正８】
【補正対象書類名】明細書
【補正対象項目名】００３４
【補正方法】変更
【補正の内容】
【００３４】
請求項６に記載の発明によれば、信号生成回路は、第１の発振器と第２の発振器とを接続する配線に流れ、該第２の発振器の発振周波数を制御する第２制御信号の電流値又は電圧値が予め定めた範囲内となるように第１の発振器の発振周波数を可変させる。従って、タイミングリカバリＰＬＬを構成した場合にも、発振器の制御特性を安定させることができ、且つ、前記配線のノイズに対する耐性が向上され、ジッタを軽減することができる。
【手続補正９】
【補正対象書類名】明細書
【補正対象項目名】００３５
【補正方法】変更
【補正の内容】
【００３５】
請求項７に記載の発明によれば、第２の発振器を制御する第２制御信号は、第１の発振器を制御する第１制御信号と略同じ、若しくはそれよりも高い電流値又は電圧値に設定される。従って、さらにノイズに対する耐性を高めることができる。
【手続補正１０】
【補正対象書類名】明細書
【補正対象項目名】００３６
【補正方法】変更
【補正の内容】
【００３６】
請求項８に記載の発明によれば、信号生成回路は、制御信号の電流値又は電圧値が前記範囲外にある場合には、その電流値又は電圧値を前記範囲内にさせるべく外部回路等に警告を発生する。これにより、発振器の制御特性を安定させることができ、ジッタを軽減させることができる。
【手続補正１１】
【補正対象書類名】明細書
【補正対象項目名】００３７
【補正方法】変更
【補正の内容】
【００３７】
請求項９に記載の発明によれば、検出回路は第１及び第２比較器と判定回路とを含み、第１及び第２比較器は制御信号（第１制御信号）をそれぞれ第１基準信号及び第２基準信号と比較し、判定回路は該比較結果に応じた判定信号を生成する。そして、信号生成回路は制御信号の電流値又は電圧値が第１基準信号の設定値より低い場合、又は、第２基準信号の設定値より高い場合に応じた制御信号を生成する。